(57)【要約】携帯用通信デバイス（１０４）は、リバースリンク伝送に対する省電力無線構成の割り当てを要求する無線構成（ＲＣ）要求インジケータ（１２２）を通信ネットワーク（１０２）に伝送する。省電力無線構成は、省電力無線構成を含む複数の無線構成のうちの１つであり、省電力無線構成を規定する通信規格と異なる通信規格によって規定される少なくとも１つの他の無線構成である。通信ネットワーク（１０２）は、無線構成インジケータ（１２４）をサービス接続メッセージという形態において携帯用通信デバイス（１０４）に戻す。携帯用通信デバイス（１０４）の平均電力消費は、携帯用デバイスが省電力無線構成を用いてコールに関与するときには、他の無線構成がコールに対して用いられる場合よりも少ない。
2010525756.tif 000002
【特許請求の範囲】
【請求項１】
複数の無線構成のうちの任意の１つの無線構成に従って作動することが可能な携帯用通信デバイスにおいて実行される電力管理のための方法であって、該方法は、
残存バッテリ電荷がしきい値未満であることを判断することと、
該判断するステップに応答して、該複数の無線構成の省電力無線構成の割り当てを要求する無線構成要求インジケータを基地局に伝送することであって、該省電力無線構成は、リバースリンク伝送に対して、該複数の無線構成のうちの少なくとも１つの他の無線構成よりも少ない電力消費を結果としてもたらす、ことと
を包含する、方法。
【請求項２】
前記携帯用通信デバイス内のバッテリの前記残存電荷を測定することをさらに包含する、請求項１に記載の方法。
【請求項３】
前記残存バッテリ電荷を示すバッテリレベルインジケータを伝送することをさらに包含する、請求項１に記載の方法。
【請求項４】
バッテリレベルインジケータは、専用チャネルを用いて状態メッセージ内において伝送される、請求項３に記載の方法。
【請求項５】
前記省電力無線構成は、前記少なくとも１つの他の無線構成よりも多くの通信資源の使用を結果としてもたらす、請求項１に記載の方法。
【請求項６】
前記省電力無線構成は、ＲＣ１およびＲＣ２から成る群から選択され、前記少なくとも１つの他の無線構成は、ＲＣ３およびＲＣ４から成る群から選択される、請求項５に記載の方法。
【請求項７】
前記無線構成要求インジケータを含むように要求メッセージを形成することと、
該要求メッセージを前記基地局に伝送することと
をさらに包含する、請求項１に記載の方法。
【請求項８】
前記要求メッセージを形成することは、サービス構成レコードに基づいてサービス要求メッセージを形成することを包含する、請求項７に記載の方法。
【請求項９】
前記要求メッセージを形成することは、ショートメッセージサービス（ＳＭＳ）メッセージを形成することを包含する、請求項７に記載の方法。
【請求項１０】
前記要求メッセージを形成することは、コール確立メッセージを形成することを包含し、該コール確立メッセージは、開始メッセージおよびページ応答メッセージを含む群から選択され、前記無線構成要求インジケータは、リバース無線構成プリファレンス（ＲＥＶ＿ＲＣ＿ＰＲＥＦ）フィールドを備える、請求項７に記載の方法。
【請求項１１】
複数の無線構成のうちの任意の１つの無線構成に従って作動することが可能な携帯用通信デバイスであって、該携帯用通信デバイスは、
リバースリンク伝送に対する省電力無線構成の割り当てを要求する無線構成要求インジケータを基地局に伝送するように構成されたトランスミッタであって、該省電力無線構成は、リバースリンク伝送に対して、該複数の無線構成のうちの少なくとも１つの他の無線構成よりも少ない電力消費を結果としてもたらす、トランスミッタ
を備える、携帯用通信デバイス。
【請求項１２】
残存バッテリ電荷がしきい値未満であることを判断することと、該残存バッテリ電荷が該しきい値未満であることを判断することに応答して、前記省電力無線構成を生成することを行うように構成されたコントローラ
をさらに備える、請求項１１に記載の携帯用通信デバイス。
【請求項１３】
前記トランスミッタは、前記残存バッテリ電荷を示すバッテリレベルインジケータを伝送するようにさらに構成される、請求項１２に記載の携帯用通信デバイス。
【請求項１４】
前記省電力無線構成は、前記少なくとも１つの他の無線構成よりも多くの通信資源の使用を結果としてもたらす、請求項１２に記載の携帯用通信デバイス。
【請求項１５】
前記省電力無線構成は、ＲＣ１およびＲＣ２を含む群から選択され、前記他の無線構成は、ＲＣ３およびＲＣ４を含む群から選択される、請求項１４に記載の携帯用通信デバイス。
【請求項１６】
コントローラは、前記無線構成要求インジケータを含むように要求メッセージを形成するようにさらに構成され、前記トランスミッタは、該要求メッセージを前記基地局に伝送するように構成される、請求項１２に記載の携帯用通信デバイス。
【請求項１７】
前記要求メッセージは、要求レコードに基づいたサービス要求メッセージを備える、請求項１６に記載の携帯用通信デバイス。
【請求項１８】
前記要求メッセージは、ショートメッセージサービス（ＳＭＳ）メッセージを備える、請求項１６に記載の携帯用通信デバイス。
【請求項１９】
複数の無線構成のうちの任意の１つの無線構成に従って作動することが可能な携帯用通信デバイスに対してワイヤレスサービスを提供するように構成された基地局であって、該基地局は、
携帯用通信デバイスから受信された無線構成要求インジケータに基づいて、無線構成を該携帯用通信デバイスに対して割り当てるように構成されたコントローラであって、該省電力無線構成要求インジケータは、リバースリンク伝送に対する省電力無線構成の割り当てを要求し、該省電力無線構成は、該携帯用通信デバイスにおいて、少なくとも１つの他の無線構成よりも少ない平均電力消費を結果としてもたらす、コントローラ
を備える、基地局。
【請求項２０】
前記コントローラは、前記基地局の残存ユーザ容量にさらに基づいて、前記無線構成を割り当てるようにさらに構成される、請求項１９に記載の基地局。
【請求項２１】
前記コントローラは、前記携帯用通信デバイス内のバッテリの残存バッテリ電荷にさらに基づいて、前記無線構成を割り当てるようにさらに構成される、請求項１９に記載の基地局。
【請求項２２】
複数の無線構成のうちの任意の１つの無線構成に従って作動することが可能な携帯用通信デバイスであって、該携帯用通信デバイスは、
緊急コールが開始されたことを判断するように構成されたコントローラと、
モバイルプロトコルリビジョンを識別するリビジョン値を基地局に対して伝送するように構成されたトランスミッタであって、該モバイルプロトコルリビジョンは、リバースリンク伝送に対する省電力無線構成と関連づけられ、該省電力無線構成は、該携帯用通信デバイスにおいて、別のモバイルプロトコルリビジョンと関連づけられた別の無線構成よりも少ない平均電力消費を結果としてもたらす、トランスミッタと
を備える、携帯用通信デバイス。
【請求項２３】
第一のモバイルプロトコルリビジョンは、ＩＳ−９５ＣＤＭＡ通信規格によって規定され、第二のモバイルプロトコルリビジョンは、ＩＳ−２０００ＣＤＭＡ通信規格によって規定される、請求項２２に記載の携帯用通信デバイス。
【発明の詳細な説明】
【技術分野】
【０００１】
（発明の分野）
本発明は、概してワイヤレス通信に関し、より具体的には、無線構成のバージョンに基づく携帯用通信デバイスにおける電力管理に関する。
【背景技術】
【０００２】
（背景）
セルラ電話器、パーソナルコンピュータ（ＰＣ）カード、およびワイヤレス携帯情報端末（ＰＤＡ）などの携帯用通信デバイスは、一般にデバイスの回路網に電力を提供するバッテリを含む。バッテリの電荷が消耗する前にデバイスが作動し得る時間は、電力レベルとワイヤレス伝送の継続時間とを含むいくつかの因子に依存する。ワイヤレス信号の伝送に対して用いられるワイヤレストランスミッタおよび他の回路網は、その他の回路に比べて相対的に大量のエネルギーを消費する。携帯用通信デバイスは、ワイヤレス通信ネットワーク内で通信するために、無線構成（ｒａｄｉｏ  ｃｏｎｆｉｇｕｒａｔｉｏｎ）に従って作動することが要求される。例えば、ＩＳ−９５およびＩＳ−２０００符号分割多元接続（ＣＤＭＡ）規格などのＣＤＭＡ規格に従って作動する携帯用通信デバイスは、特定の通信ネットワークおよび基地局によって利用される無線構成に従って信号を伝送する必要がある。用語、「無線構成」は、以前のＩＳ−９５規格のリビジョン（ｒｅｖｉｓｉｏｎ）であるＩＳ−２０００規格において導入されている。古いＩＳ−９５ネットワークにおいては、無線構成ＲＣ１およびＲＣ２が、フォワード（ｆｏｒｗａｒｄ）リンクとリバース（ｒｅｖｅｒｓｅ）リンクとの両方に対して用いられ得る。ＩＳ−２０００ＣＤＭＡ規格に対しては、ＲＣ３、ＲＣ４およびＲＣ５を含む新しい無線構成が、ＲＣ１およびＲＣ２に追加された。ＲＣ１およびＲＣ２の無線構成に加えて、ＩＳ−２０００に準拠するデバイスは、フォワードリンクに対してＲＣ３、ＲＣ４またはＲＣ５と、リバースリンクに対してＲＣ３およびＲＣ４との無線構成を用い得る。従って、ＩＳ−２０００ＣＤＭＡ規格はまた、上位互換性のために、古い無線構成ＲＣ１およびＲＣ２をサポートする必要がある。一般に、ネットワークは、フォワードリンクおよびリバースリンクに対して同一の無線構成を用いるが、例外は、フォワードリンクにおけるＲＣ５が、リバースリンクにおいては、通常ＲＣ４にマッピングすることである。携帯用通信デバイスの電力消費は、ワイヤレス信号伝送の間に最も影響されるので、関心のある無線構成は、リバースリンクの無線構成ＲＣ１、ＲＣ２、ＲＣ３およびＲＣ４である。無線構成は、フォワードトラヒックチャネルおよびリバーストラヒックチャネルの伝送フォーマットの組であり、該伝送フォーマットは、データレート、変調特性、および拡散レートなどの物理層パラメータによって特徴付けられる。異なる無線構成は、電力消費およびネットワーク容量のそれぞれに影響を与える。例えば、ＲＣ１およびＲＣ２は、ＲＣ３およびＲＣ４よりも多くのネットワーク資源を用いる。ＲＣ１またはＲＣ２を用いる携帯用通信デバイスによる電力消費は、ＲＣ３またはＲＣ４を用いる同一のデバイスによる電力消費よりも少ない。ＲＣ３およびＲＣ４は、ＲＣ１およびＲＣ２よりも効率的なフォワードの電力制御を提供し、ＲＣ１およびＲＣ２を用いるネットワークに比べて増大したネットワーク容量を結果としてもたらす。しかしながら、ＲＣ３およびＲＣ４は一般に、何らかの音声またはデータパケットがリバースリンク上に送信されることを要求されるか否かにかかわらず、コール（ｃａｌｌ）がアク���ィブなときはいつでも、トランスミッタが連続的にアクティブであることを要求するけれども、一方で、ＲＣ１およびＲＣ２に従って作動するデバイストランスミッタは、音声またはデータパケットのいずれかがリバースリンク上に送信されるか否かに依存して、オンとオフとに切り替えられる。ＲＣ１またはＲＣ２を用いて伝送するデバイスに対する平均の伝送能力は、ＲＣ３またはＲＣ４を用いて、対応するＳＯを用いる同様な伝送に対する能力と同一であり得る。しかしながら、デバイスの電力消費は、同様なデータレートに対しては、ＲＣ３およびＲＣ４よりもＲＣ１およびＲＣ２に対する方が著しく少ない。ＲＣ３およびＲＣ４によって作動するデバイスに対する通話時間は一般に、ＲＣ１およびＲＣ２によって作動するデバイスよりも１５％〜３０％少ない。
【発明の概要】
【発明が解決しようとする課題】
【０００３】
従って、無線構成に基づいた、携帯用通信デバイスの電力管理に対するニーズが存在する。
【課題を解決するための手段】
【０００４】
（概要）
携帯用通信デバイスは、リバースリンク伝送に対する省電力無線構成の割り当てを要求する無線構成（ＲＣ）要求インジケータを通信ネットワークに伝送する。該携帯用通信デバイスは、該省電力無線構成と、少なくとも１つの他の無線構成とを含む複数の無線構成に従って作動することが可能である。該携帯用デバイスの平均電力消費は、該携帯用通信デバイスが該省電力無線構成を用いてコールに関与するときには、該他の無線構成が該コールに対して用いられる場合よりも少ない。
【図面の簡単な説明】
【０００５】
【図１】図１は、ワイヤレス通信システムのブロック図である。
【図２Ａ】図２Ａおよび図２Ｂは、例示的な省電力無線構成要求メッセージを描くブロック図である。
【図２Ｂ】図２Ａおよび図２Ｂは、例示的な省電力無線構成要求メッセージを描くブロック図である。
【図３】図３は、例示的な実施形態に従った、携帯用通信デバイスにおいて実行される電力管理の方法のフローチャートである。
【図４】図４は、例示的な実施形態に従った、基地局において実行される携帯用デバイスの電力管理の方法のフローチャートである。
【図５】図５は、携帯用通信デバイスにおいて実行される緊急電力管理の方法のフローチャートである。
【発明を実施するための形態】
【０００６】
（詳細な説明）
例示的な実施形態に従って、残存バッテリ電荷がしきい値未満であることを携帯用通信デバイスが判断するときに、携帯用通信デバイスは、省電力無線構成の割り当てを要求する無線構成（ＲＣ）要求インジケータを送信し、該省電力無線構成は、携帯用通信デバイスにおいて別の無線構成が用いられる場合よりも少ない電力消費を結果としてもたらす。ＲＣ要求インジケータは、数多くのメッセージおよびフォーマットのうちの任意のものを用いて伝送され得るけれども、例示的な実施形態において、ＲＣ要求インジケータは、サービス要求メッセージ（Ｓｅｒｖｉｃｅ  Ｒｅｑｕｅｓｔ  Ｍｅｓｓａｇｅ）において伝送される。ＲＣ要求インジケータは、サービス折衝手順の間かまたはアクティブコールの間に伝送され得る。例示的な実施形態において、ＲＣ要求インジケータは、携帯用通信デバイスの残存バッテリ電荷が十分に低いことを示すことにより、携帯用通信デバイスの電力消費を最小化する無線構成の割り当てを正当化する。省電力無線構成が他の無線構成に比べて追加のネットワーク資源の使用を結果としてもたらし得るので、基地局は、携帯用通信デバイスによる省電力無線構成の使用に起因する追加の資源負荷をサポートするための十分な容量を基地局が有すると判断される場合には、省電力無線構成をリバースリンクの伝送に対して割り当てる。さもなければ、基地局は、通信規格によってサポートされた別の無線構成を割り当て、該無線構成は、通信資源のより効率的な使用を結果としてもたらす。要求がアクティブコールの間に行われ、かつ省電力無線構成が割り当てられるべきではないと基地局が判断する場合には、基地局は、新しいＲＣを割り当てることなく、割り当てられた無線構成と同一の無線構成の使用を継続する。
【０００７】
図１は、少なくとも１つの基地局１０２と、１つの携帯用通信デバイス１０４とを含む通信システム１００のブロック図である。典型的な実装において、いくつかの基地局１０２は、数多くの携帯用通信デバイス１０４にワイヤレスサービスを提供する。帯域幅などの通信資源は、システム１００上のユーザの数を最大化するために、携帯用通信デバイス１０４の間で効率的に割り当てられる。従って、各基地局１０２は、携帯用通信デバイス１０４の全部の資源の要件に依存するユーザ容量を有している。上記されたように、基地局１０２および携帯用通信デバイス１０４は、無線構成に従って信号を伝送する。無線構成に従って、フォワードリンクのトラヒック信号１０６は、基地局１０２から携帯用通信デバイス１０４に伝送され、リバースリンクのトラヒック信号１０８は、携帯用通信デバイス１０４から基地局１０２に伝送される。各無線構成は、フォワードトラヒックチャネルの伝送フォーマットと、リバーストラヒックチャネルの伝送フォーマットとの組を規定し、該伝送フォーマットは、データレート、変調特性、および拡散レートなどの物理層パラメータによって特徴付けられる。異なる無線構成は、電力消費および基地局容量のそれぞれに影響を与える。携帯用通信デバイス１０４は、少なくとも２つの無線構成に従ってリバースリンク信号を伝送することが可能であり、そこでは、無線構成のうちの１つが電力用無線構成である。該電力用無線構成は、携帯用通信デバイスにおいて、携帯用通信デバイスによりサポートされる少なくとも１つの他の無線構成よりも少ない電力消費を結果としてもたらす。少なくとも２つの無線構成のうちの１つは、一部の通信規格のリビジョンに対して規定されないことがあり得る。例えば、ＩＳ−２０００規格に従って作動することが可能な携帯用通信デバイスは、無線構成ＲＣ１、ＲＣ２、ＲＣ３、およびＲＣ４を用い得る。無線構成ＲＣ３およびＲＣ４は、ＩＳ−２０００規格の以前のリビジョン、すなわちＩＳ−９５規格によって規定されない。一部の状況において、省電力無線構成は、複数の規格のリビジョンによって規定され、そして携帯用通信デバイスにおいて、他の無線構成が一部の通信規格のリビジョンにおいてのみ規定され得る、別の無線構成が用いられる場合よりも少ない電力消費を結果としてもたらす。例えば、ＣＤＭＡ規格に従って作動するシステム１００において、省電力無線構成は、ＲＣ１またはＲＣ２のいずれかであり得、他の無線構成は、ＲＣ３またはＲＣ４であり得る。
【０００８】
携帯用通信デバイス１０４内の通信エレクトロニクス１１０は、変調および拡散、ならびに他の通信機能を実行する。通信エレクトロニクス１１０は、種々のデータレート、変調特性、および拡散レートを提供するように構成され得る。例示的な実施形態において、プロセッサ１１４上で動作するソフトウェアおよび／またはファームウェアのパラメータが、通信エレクトロニクス１１０の機能を変更するように修正され、その結果として、通信エレクトロニクス１１０は、無線構成に従って信号を伝送および受信するように構成される。携帯用通信デバイス１０４内のコントローラ１１６は、無線構成のパラメータを決定する、プロセッサ１１４上で動作するソフトウェアを修正したり、置換したり、さもなければ操作したりすることによって、割り当てられた無線構成に従って作動するように通信エレクトロニクス１１０を構成する。コントローラ１１６は、プロセッサ１１４上または別個のプロセッサ上に実装されるか、あるいは複数のプロセッサにわたって分散され得る。従って、コントローラ１１６は、通信エレクトロニクス１１０を操作および設定する機能が、例えば、変調、符号化、および拡散などの通信に関連したプロセッサ１１４の機能から分離することを例示するために、別個のブロックとして示される。コントローラ１１６上で動作するソフトウェアおよび／またはファームウェアのコードは、メモリ１１８から適切な値を取り出すことにより、指定された無線構成に従って通信エレクトロニクス１１０を構成する。例示的な実施形態において、通信エレクトロニクス１１０は、プロセッサ１１４上で動作するソフトウェアおよび／またはファームウェア内に適切な値をロードすることによって構成される。一部の状況において、他の技術が、通信エレクトロニクス１１０を構成するために用いられ得る。例えば、所望の無線構成に対応するソフトウェアおよび／またはファームウェアのコードは、ロードされるか、または他の無線構成に対応するコードと交換され得る。従って、コントローラ１１６は、メモリ１１８内に格納されたコードを用いて、適切な変調スキームを用いるようにプロセッサ１１４を構成し得る。
【０００９】
例示的な通信システム１００は、ＩＳ−９５およびＩＳ−２０００ＣＤＭＡ規格のリビジョンなどの符号分割多元接続（ＣＤＭＡ）規格に従って作動するけれども、本明細書中で論じられる教示は、他のシステムおよび規格に適用され得る。ＩＳ−９５のネットワークは、無線構成ＲＣ１およびＲＣ２を利用し、一方でＩＳ−２０００のネットワークは、無線構成ＲＣ１およびＲＣ２をサポートするけれども、より進歩した無線構成ＲＣ３およびＲＣ４をもサポートする。ＲＣ１およびＲＣ２は概して、ＲＣ３およびＲＣ４よりも多くの通信資源を用いる。しかしながら、ＲＣ１またはＲＣ２を用いる携帯用通信デバイスによる平均電力消費は、ＲＣ３またはＲＣ４を用いる同一のデバイスによる電力消費よりも少ない。ＲＣ３およびＲＣ４は、ＲＣ１およびＲＣ２よりも効率的なフォワードの電力制御を提供し、ＲＣ１およびＲＣ２を用いるネットワークに比べて増大したネットワーク容量を結果としてもたらす。しかしながら、ＲＣ３およびＲＣ４は、何らかの音声またはデータパケットがリバースリンク上に送信されることを要求されるか否かにかかわらず、コールがアクティブなときはいつでも、トランスミッタが連続的にアクティブであることを要求するけれども、一方で、ＲＣ１およびＲＣ２に従って作動するデバイスは、音声またはデータパケットのいずれかがリバースリンク上に送信されるか否かに依存して、デバイス内のトランスミッタをオンとオフとにゲートで制御する。伝送に対してＲＣ１またはＲＣ２を用いる携帯用通信デバイス１０４の平均の無線周波数（ＲＦ）伝送能力は、ＲＣ３またはＲＣ４を用いる同様な伝送に対する能力と同一であり得る。しかしながら、デバイスの平均電力消費は、同様なデータレートに対しては、ＲＣ３およびＲＣ４よりもＲＣ１およびＲＣ２に対する方が著しく少ない。ＲＣ３およびＲＣ４によって作動するデバイスに対する通話時間は一般に、ＲＣ１およびＲＣ２によって作動するデバイスよりも１５％〜３０％少ない。従って、例示的な実施形態に関して論じられたように、省電力無線構成は、携帯用通信デバイス１０４がＩＳ−２０００ＣＤＭＡ規格に従って作動することが可能なときには、ＲＣ１またはＲＣ２である。省電力無線構成の要求を受信した後に、基地局１０２は、ＲＣ３またはＲＣ４の代わりにＲＣ１またはＲＣ２を携帯用通信デバイス１０４に割り当て得る。
【００１０】
携帯用通信デバイス１０４は、バッテリ１２０のバッテリパラメータを測定することによって、少なくとも定期的に残存バッテリ電荷を監視する。バッテリ１２０は、携帯用通信デバイス１０４内の通信エレクトロニクス１１０、ならびに他の回路、デバイスおよび構成要素に電力を提供する。コントローラ１１６は、バッテリ電荷を監視することにより、いつ残存電力がしきい値未満になるかを判断する。数多くの公知の技術のうちの任意のものが、残存バッテリ電荷を判断するために用いられ得る。一部の状況において、例えば、感知回路（図示されない）が、残存バッテリ電荷に関連する情報をコントローラ１１６に提供する。感知回路は、電圧および／または電流などのバッテリ特性を表す１つ以上の信号をコントローラ１１６に対して生成する。コントローラ１１６は、バッテリのタイプと、感知回路によって提供される信号とに基づいて、残存バッテリ電荷を判断する。コントローラ１１６は、残存バッテリ電荷がしきい値未満であることをコントローラ１１６が判断するときには、省電力無線構成（ＲＣ）要求インジケータ１２２を基地局１０２に送信する。省電力ＲＣインジケータ１２２は、要求メッセージにおいて基地局１０２に送信され、そこでは、メッセージが、サービス折衝プロセスの間かまたはアクティブコールの間に送信され得る。例示的な実施形態において、バッテリインジケータ１２６が、要求インジケータ１２２の前に送信されて、バッテリ１２０の残存電荷に関する情報を基地局に提供する。電荷に関連する数多くのパラメータのうちの任意のものが監視または評価され得る。例えば、電力またはエネルギーに関連するパラメータが、測定され、かつ／または評価され得る。
【００１１】
携帯用通信デバイス１０４と基地局１０２との間のサービス折衝プロセスの間に、基地局１０２は、携帯用通信デバイス１０４の能力を示す情報を携帯用通信デバイス１０４から受信する。例えば、ＣＤＭＡ規格に従った、携帯用通信デバイス１０４は、モバイルプロトコルリビジョン（ＭＯＢ＿Ｐ＿ＲＥＶ）を示す。従来のシステム１００において、基地局１０２は、特定のコールのサービスオプション（ＳＯ）に対して必要とされるときには、携帯用通信デバイス１０４のＭＯＢ＿Ｐ＿ＲＥＶによってサポートされ、かつ基地局１０２によってサポートされる最新のリビジョンの無線構成を割り当てる。しかしながら、例示的な実施形態において、基地局１０２は、携帯用通信デバイス１０４から受信されたＲＣ要求インジケータ１２２およびバッテリインジケータ１２６にも基づいて、適切な無線構成を決定する。ＲＣ要求インジケータ１２２が受信されない場合には、基地局１０２は、公知の技術に従って無線構成を割り当てる。ＲＣ要求インジケータ１２２が受信された場合には、基地局１０２は、基地局１０２の現在の容量と、少なくとも要求をしている携帯用通信デバイス１０４の残存電力レベルとを評価し、携帯用通信デバイス１０４が省電力無線構成を用いてリバースリンク信号を伝送するために必要となる追加の通信資源の量が、受容可能であるか否かを判断する。一部の状況において、バッテリインジケータ１２６の伝送は省略され得る。
【００１２】
ＣＤＭＡ技術に従った、基地局１０２は、無線構成を携帯用通信デバイス１０４に割り当てるための適切な情報を含むサービス接続メッセージを伝送する。従って、無線構成インジケータ１２４が、携帯用通信デバイス１０４によって用いられるべき無線構成を示すために、メッセージにおいて伝送される。無線構成インジケータ１２４は、コールのセットアップの間には、サービス接続メッセージ（Ｓｅｒｖｉｃｅ  Ｃｏｎｎｅｃｔ  Ｍｅｓｓａｇｅ）の形式をとり、専用チャネルが割り当てられた後の場合には、サービス応答メッセージ（Ｓｅｒｖｉｃｅ  Ｒｅｓｐｏｎｓｅ  Ｍｅｓｓａｇｅ）の形式をとり、サービス接続完了メッセージ（Ｓｅｒｖｉｃｅ  Ｃｏｎｎｅｃｔ  Ｃｏｍｐｌｅｔｉｏｎ  Ｍｅｓｓａｇｅ）が携帯用通信デバイス１０４から受信された後に、割り当てがコールの間の無線構成の再割り当てである場合には、ユニバーサルハンドオフ指示メッセージ（Ｕｎｉｖｅｒｓａｌ  Ｈａｎｄｏｆｆ  Ｄｉｒｅｃｔｉｏｎ  Ｍｅｓｓａｇｅ）か、サービス応答メッセージか、またはジェネラルハンドオフ指示メッセージ（Ｇｅｎｅｒａｌ  Ｈａｎｄｏｆｆ  Ｄｉｒｅｃｔｉｏｎ  Ｍｅｓｓａｇｅ）の形式をとる。ＲＣ要求インジケータ１２２が携帯用通信デバイス１０４から受信され、通信資源の負担が受容可能な場合には、基地局１０２は、省電力無線構成を割り当てる。さもなければ、基地局１０２は、通信資源のより効率的な使用を提供する別の無線構成を割り当てる。例えば、ＣＤＭＡのＩＳ−２０００に準拠する携帯用通信デバイス１０４がＲＣ要求インジケータ１２２を送信し、ＲＣ３の代わりにＲＣ１をコールに対して割り当てることが基地局１０２の容量に著しく影響しないと基地局１０２が判断する場合には、基地局１０２は、ＲＣ１をリバースリンクの伝送に割り当てる。さもなければ、ＲＣ３が割り当てられる。基地局１０２内のプロセッサ１２６は、評価を実行し、各コールに対して各携帯用通信デバイス１０４に割り当てられるべき無線構成を決定する。省電力ＲＣの要求がコールの間に受信される場合には、基地局は、省電力ＲＣが用いられるべきであるか否かを判断し、無線構成の変更は適切であると基地局が判断する場合にのみ、省電力ＲＣを割り当てるユニバーサルハンドオフ指示メッセージを開始する。
【００１３】
コールが省電力無線構成ではない無線構成を用いて確立されており、かつ残存バッテリ電荷がしきい値未満である場合には、携帯用通信デバイスは、コールの間にＲＣ要求インジケータ１２２を送信する。十分な資源が利用可能であり、かつ無線構成の変更は適切であると基地局１０２が判断する場合には、基地局１０２は、ユニバーサルハンドオフ指示メッセージか、ジェネラルハンドオフ指示メッセージか、またはサービス応答メッセージを、用いられるように指定されたリバース無線構成（ＲＥＶ＿ＦＣＨ＿ＲＣ）とともに、サービス構成レコード（Ｓｅｒｖｉｃｅ  Ｃｏｎｆｉｇｕｒａｔｉｏｎ  Ｒｅｃｏｒｄ）フィールド（ＳＣＲ＿ＩＮＣＬＵＤＥＤ）を「１」に設定した状態で、携帯用通信デバイスに対して送信する。
【００１４】
図２Ａは、例示的な無線構成（ＲＣ）要求メッセージ２００のブロック図である。システム１００の特定の実装に依存して、ＲＣ要求メッセージ２００は、いくつかのフォーマットのうちの任意の１つのフォーマットを有し得、そして他のメッセージまたは別個のメッセージの一部分として実装され得る。一部の状況において、ＲＣ要求メッセージ２００は、通信規格によって指定されるときには、標準化されたプロトコルの一部分として伝送され、それによって、通信規格への修正が必要となる。他の状況において、メッセージ２００は、現行規格の修正を必要としないメッセージを用いて送信され得る。例えば、メッセージ２００は、例示的な実施形態に関して以下で記載されるように、規格によって現在規定されているメッセージを用いて送信され得るか、またはデータメッセージング技術を用いて送信され得る。
【００１５】
適切なデータメッセージング技術の例は、メッセージ２００を、基地局１０２とは通常別のＳＭＳＣ（ショートメッセージサービスセンター）に伝送されるショートメッセージサービス（ＳＭＳ）メッセージとして送信することを含む。ＳＭＳメッセージは、省電力ＲＣインジケータ１２２を表すテキストを含む。ＳＭＳＣは次いで、省電力ＲＣへの変更要求を基地局１０２に通知し得る。
【００１６】
例示的な実施形態において、メッセージ２００は、ＣＤＭＡ規格に従って伝送されるサービス要求メッセージ（Ｓｅｒｖｉｃｅ  Ｒｅｑｕｅｓｔ  Ｍｅｓｓａｇｅ）であり、そこでは、要求レコード、サービス構成レコード（Ｓｅｒｖｉｃｅ  Ｃｏｎｆｉｇｕｒａｔｉｏｎ  Ｒｅｃｏｒｄ）２０２が、メッセージ２００を形成するために用いられる。サービス構成情報レコードは、要求された無線構成を含むＲＣフィールドを含む。従って、ＲＣ省電力要求インジケータ１２２は、省電力ＲＣの識別であり、該ＲＣ省電力要求インジケータ１２２は、サービス要求メッセージにおいて伝送され、サービス要求メッセージを形成するために用いられるサービス構成情報レコード（Ｓｅｒｖｉｃｅ  Ｃｏｎｆｉｇｕｒａｔｉｏｎ  Ｉｎｆｏｒｍａｔｉｏｎ  Ｒｅｃｏｒｄ）のＲＣフィールドに含まれる。サービス要求メッセージは、共通チャネルではなく、トラヒックチャネルを用いて送信される。サービス折衝の間、携帯用通信デバイスがサービス接続メッセージを受信した後に、デバイス１０４は、サービス要求メッセージを用いて、異なるＲＥＶ＿ＦＣＨ＿ＲＣを要求するためのオプションを有する。
【００１７】
既存の規格の修正を必要としない適切なＲＣ要求メッセージ２００の別の例は、開始メッセージ（Ｏｒｉｇｉｎａｔｉｏｎ  Ｍｅｓｓａｇｅ）またはページ応答メッセージ（Ｐａｇｅ  Ｒｅｓｐｏｎｓｅ  Ｍｅｓｓａｇｅ）などのコール確立メッセージである。これらのメッセージは、ＲＥＶ＿ＲＣ＿ＰＲＥＦという名前のフィールドを含み、該フィールドは、携帯用通信デバイスが好適な無線構成を要求することを可能にする。
【００１８】
例示的な実施形態において、バッテリインジケータが、携帯用通信デバイス１０４から基地局１０２に送信され、該バッテリインジケータは、バッテリの残存電荷に関する情報を提供する。以下で論じられるように、バッテリインジケータは、既存の規格に修正を必要とし得る技術か、または必要としないことがあり得る技術を用いて送信され得る。一部の状況において、省電力ＲＣ要求インジケータ１２２が、バッテリインジケータであり得る。そのような実装において、基地局は、バッテリインジケータを評価し、携帯用通信デバイスの残存バッテリ電荷がしきい値未満である場合には、バッテリインジケータを省電力無線構成の要求として解釈する。
【００１９】
図２Ｂは、バッテリインジケータメッセージ２０４のブロック図である。例示的な実施形態において、バッテリインジケータメッセージ２０４は、トラヒックチャネルを用いて伝送される状態メッセージ（Ｓｔａｔｕｓ  Ｍｅｓｓａｇｅ）である。バッテリインジケータレコード２０８は、バッテリインジケータ１２６を有するバッテリインジケータメッセージ２０４を形成するために用いられ、バッテリインジケータ１２６は、メッセージ２０４を伝送する携帯用通信デバイス１０４の残存バッテリ電荷に関する情報を提供する。バッテリインジケータは、測定または計算された任意のパラメータであり得、該パラメータは、バッテリ１２０内に残存する電荷を基地局が判断することを可能にする。一部の状況において、バッテリインジケータメッセージ２０４は、ＳＭＳメッセージであり得る。
【００２０】
図３は、例示的な実施形態に従った、携帯用通信デバイスにおいて実行される電力管理の方法のフローチャートである。該方法は、デバイスの数多くのタイプのうちの任意のものを用いる、ハードウェア、ソフトウェアおよび／またはファームウェアの任意の組み合わせを用いて実行され得る。例示的な実施形態において、該方法は、携帯用通信デバイス１０４内のプロセッサ１１４上で動作するソフトウェアによって実行される。
【００２１】
ステップ３０２において、携帯用通信デバイス１０４がアクティブコールに関与しているか否か、またはコールが確立されるか否かが判断される。コントローラ１１６は、コールが携帯用通信デバイス１０４において開始されているか否か、コールが受信されているか否か、またはコールが確立されたか否かを判断する。コールが確立されたかまたは確立される場合には、方法は、ステップ３０４において続く。さもなければ、方法は、ステップ３０２に戻って、コールの状態を監視し続ける。
【００２２】
ステップ３０４において、携帯用通信デバイスの内の残存バッテリ電荷が測定される。感知回路は、電圧および／または電流などのバッテリ特性を表す１つ以上の信号をコントローラ１１６に対して生成する。コントローラ１１６は、バッテリのタイプと感知回路によって提供された信号とに基づいて、残存バッテリ電荷を判断する。数多くの公知の技術のうちの任意のものが、残存バッター電荷を判断するために用いられ得る。
【００２３】
ステップ３０６において、残存バッテリ電荷がしきい値（ＣＴＨ）未満であるか否かが判断される。残存バッテリ電荷がしきい値未満である場合には、方法は、ステップ３０８に進み、さもなければ、方法は、ステップ３０２に戻って、コールの状態と、ステップ３０４においてバッテリ電荷とを監視し続ける。しきい値に対する適切な値の例は、全部のバッテリ電荷の３０％近傍の値である。
【００２４】
ステップ３０８において、バッテリインジケータ１２６は、基地局１０２に伝送される。例示的な実施形態において、バッテリインジケータ１２６は、残存バッテリ電荷に対応するバッテリインジケータレコード２０８によって形成された状態メッセージにおいて伝送される。バッテリインジケータは、他の技術を用いて伝送され得、一部の状況においては省略され得る。
【００２５】
ステップ３１０において、ＲＣ要求インジケータ１２２は、通信ネットワークの内の基地局１０２に伝送される。以上で論じられたように、ＲＣ要求インジケータ１２２は、携帯用通信デバイス１０４が、リバースリンク伝送に対して省電力無線構成が割り当てられるように要求していることを示す。省電力無線構成は、複数の無線構成のうちの１つであり、携帯用通信デバイスにおいて、他の複数の無線構成のうちの少なくとも１つの無線構成よりも少ない電力消費を結果としてもたらす。複数の無線構成のうちの１つの無線構成は、一部の通信規格のリビジョンに対して規定されないことがあり得る。例えば、以上で論じられたように、ＲＣ３およびＲＣ４は、より新しいＩＳ−２０００のリビジョンに対して規定されるけれども、ＩＳ−９５のリビジョンに対して規定されない。例示的な実施形態において、リバースリンクに対する複数の無線構成は、少なくともＲＣ１、ＲＣ２、ＲＣ３およびＲＣ４を含む。従って、ＩＳ−２０００に準拠するネットワークおよび携帯用通信デバイスは、ＲＣ１、ＲＣ２、ＲＣ３およびＲＣ４を用いることが可能であるけれども、一方で、ＩＳ−９５に準拠するネットワークおよび携帯用通信デバイスは、ＲＣ１およびＲＣ２を用いることが可能である。
【００２６】
ステップ３１２において、携帯用通信デバイス１０４は、基地局１０２によって示された無線構成に従って通信エレクトロニクス１１０を構成する。コール折衝手順の間に、基地局１０２は、公知の技術に従ってＲＣインジケータ１２４を伝送することによって、携帯用通信デバイス１０４に無線構成を示す。コントローラ１１６は、通信エレクトロニクス１１０に適切な値をロードするか、さもなければ、通信エレクトロニクス１１０を構成し、その結果として、リバースリンクのデータ伝送が、基地局１０２により示された無線構成によって要求される変調、データレートおよび拡散レートを用いて伝送される。従って、省電力無線構成が用いられ得ると基地局１０２が判断する場合には、携帯用通信デバイス１０４は、ＲＣ１またはＲＣ２構成をロードし、該構成は、ＲＣ３またはＲＣ４無線構成がリバースリンク伝送に対して用いられた場合よりも少ない平均電力消費を結果としてもたらす。無線構成がアクティブコールの間に変更される場合に、無線構成の割り当てがコールの間である場合には、省電力無線構成は、ユニバーサルハンドオフ指示メッセージを用いて割り当てられる。
【００２７】
従って、例示的な実施形態において、コールが携帯用通信デバイスにおいて開始され、かつバッテリ電荷が低い場合には、携帯用通信デバイス１０４は、ＲＣ要求インジケータ１２２を基地局１０２に伝送する。該ＲＣ要求インジケータ１２２は、携帯用通信デバイス１０４が省電力無線構成の割り当てを要求していることを示し、該省電力無線構成は、携帯用通信デバイス１０４において、別の無線構成が割り当てられた場合よりも少ない電力消費を結果としてもたらす。コールが携帯用通信デバイス１０４において受信されており、かつバッテリ電荷が低い場合には、携帯用通信デバイス１０４は、ＲＣ要求インジケータ１２２を伝送し、該ＲＣ要求インジケータ１２２は、省電力無線構成を該コールに対して割り当てることを基地局に要求する。残存バッテリ電荷レベルが電力レベルのしきい値未満であるときに、コールが開始されていることを携帯用通信デバイスが検出する場合には、携帯用通信デバイスは、ＲＣ要求インジケータ１２２を送信する。コールに関与している間に、残存電力レベルがしきい値未満になったことを携帯用通信デバイス１０４が検出する場合には、ＲＣ要求インジケータ１２２が送信される。図４を参照して以下で論じられるように、十分な通信資源が利用可能であると基地局１０２が判断する場合には、基地局１０２は、省電力無線構成を割り当てる。その結果として、携帯用通信デバイス１０４は、省電力無線構成をリバースリンク伝送に対して利用するけれども、該コールは、他の無線構成よりも多くの通信資源の消費を結果としてもたらし得る。
【００２８】
図４は、例示的な実施形態に従った、基地局１０２において実行される、携帯用デバイスの電力管理の方法のフローチャートである。該方法は、ハードウェア、ソフトウェアおよび／またはファームウェアの任意の組み合わせによって実行され得る。例示的な実施形態において、該方法は、基地局１０２内のプロセッサ１２６上でコードを実行することによって実行される。該方法は、アクティブコールの間か、またはコールが携帯用通信デバイスによって確立されるときに呼び出される。
【００２９】
ステップ４０２において、ＲＣ要求インジケータ１２２が、携帯用通信デバイス１０４から受信される。インジケータ１２２を含む要求メッセージが受信され、そして復号化される。例示的な実施形態において、要求メッセージは、サービス構成レコードに基づいた、サービス要求メッセージである。上記されたように、ＲＣ要求インジケータ１２２は、いくつかの技術と、ＳＭＳメッセージおよびシグナリングメッセージなどのメッセージとのうちの任意のものを用いて送信され得る。ＲＣ要求インジケータ１２２は、省電力無線構成を割り当てられる携帯用通信デバイス１０４による要求として解釈される。一部の状況において、残存バッテリ電荷を示すバッテリインジケータ１２６が、基地局に送信され得る。これらの状況において、基地局１０２はまた、残存電荷が省電力無線構成を正当化するほど十分に低いか否かを判断する。
【００３０】
ステップ４０４において、十分な通信資源が、省電力無線構成の割り当てに対して利用可能であるか否かが判断される。基地局１０２は、基地局１０２において利用可能な容量に関連するパラメータを評価する。一部の場合において、基地局１０２の全部の容量における、例えば、アクティブコールの数と、そのうえデータレートとに関連するパラメータが調査される。時刻、曜日、および通信トラヒックのパターンなどの他のパラメータがまた、通信トラヒックにおける傾向に対しても評価され得る。例示的な実施形態において、プロセッサ１２６は、要求する携帯用通信デバイスの残存バッテリ電荷レベルを評価し、特定の携帯用通信デバイス１０４に省電力無線構成を割り当てる十分な資源が利用可能であるか否かの判断において、関連する残存バッテリ電荷および利用可能な容量に基づき、携帯用通信デバイス１０４に優先順位を付ける。十分な残存容量が利用可能な場合には、方法は、ステップ４０６において続く。さもなければ、方法は、ステップ４０８において続く。
【００３１】
ステップ４０６において、携帯用通信デバイス１０４がアクティブコールに関与しているか否かが判断される。携帯用通信デバイス１０４がアクティブコールに関与している場合には、方法は、ステップ４１０に進む。さもなければ、方法は、ステップ４０８において続く。
【００３２】
ステップ４０８において、基地局１０２は、省電力無線構成を携帯用通信デバイス１０４に割り当てる。基地局１０２は、公知の技術に従って無線構成インジケータ１２２をサービス接続メッセージにおいて伝送する。
【００３３】
ステップ４１０において、基地局１０２は、ハードハンドオフ手順を実行することにより、携帯用通信デバイス１０４の無線構成を省電力無線構成に変更する。基地局１０２は、ユニバーサルハンドオフ指示メッセージか、ジェネラルハンドオフ指示メッセージか、またはサービス応答メッセージを伝送することにより、無線構成を変更する。従って、基地局１０２は、ＲＣ要求インジケータ１２２が受信されたときには、コールの間にＲＣ３またはＲＣ４に従ってリバースリンク信号を伝送する携帯用通信デバイス１０４と通信し得る。通信資源が利用可能な場合には、基地局１０２は、携帯用通信デバイス１０２に対して、無線構成をＲＣ１またはＲＣ２に変更し、かつハードハンドオフを実行するように指示する。
【００３４】
ステップ４１２において、携帯用通信デバイス１０４がアクティブコールに関与しているか否かが判断される。携帯用通信デバイス１０４がアクティブコールに関与している場合には、方法は、ステップ４１４において続く。さもなければ、方法は、ステップ４１６に進む。
【００３５】
ステップ４１４において、基地局１０２は、アクティブコールを継続する。受信されたＲＣ要求インジケータ１２２に基づく無線構成の変更は行われない。
【００３６】
ステップ４１６において、基地局１０２は、携帯用通信デバイス１０４のモバイルプロトコルリビジョン（ＭＯＢ＿Ｐ＿ＲＥＶ）に対応する無線構成を割り当てる。従って、例えば、ＲＣ１またはＲＣ２を割り当てることに対して十分な資源が利用可能ではなく、かつ携帯用通信デバイス１０４がＩＳ−２０００をサポートすると基地局１０２が判断する場合には、基地局１０２は、ＲＣ３またはＲＣ４などの無線構成を割り当てる。
【００３７】
図５は、携帯用通信デバイス１０４において実行される緊急電力管理の方法のフローチャートである。該方法は、デバイスの数多くのタイプのうちの任意のものを用いるハードウェア、ソフトウェアおよび／またはファームウェアの任意の組み合わせを用いて実行され得る。例示的な実施形態において、該方法は、携帯用通信デバイスの内のプロセッサ１１４上で動作するソフトウェアによって実行される。該方法は、コールが携帯用通信デバイス１０４において開始されるときに呼び出される。
【００３８】
ステップ５０２において、緊急コールが開始されたか否かが判断される。コントローラ１１６は、ユーザによって入力された数字を監視し、「９１１」などの緊急電話番号が入力されたか否かを判断する。緊急コールが開始された場合には、方法は、ステップ５０４において続く。さもなければ、方法は、ステップ５０８に進む。
【００３９】
ステップ５０４において、残存バッテリ電荷がしきい値未満であるか否かが判断される。しきい値は、図３を参照して以上で論じられたしきい値と同一であり得る。残存バッテリ電荷がしきい値未満である場合には、方法は、ステップ５０６において続く。さもなければ、方法は、ステップ５０８において続く。
【００４０】
ステップ５０６において、携帯用通信デバイス１０４は、省電力モバイルプロトコルリビジョン（ＭＯＢ＿Ｐ＿ＲＥＶ）を識別するリビジョン値を伝送する。省電力ＭＯＢ＿Ｐ＿ＲＥＶは、携帯用通信デバイス１０４によってサポートされる無線構成よりもさらに資源の効率がよい無線構成を、携帯用通信デバイス１０４がサポートしないことを基地局１０２に対して示すシミュレートされた値（ｓｉｍｕｌａｔｅｄ  ｖａｌｕｅ）である。その結果として、基地局１０２は、シミュレートされた省電力ＭＯＢ＿Ｐ＿ＲＥＶに対応する無線構成を割り当て、そこでは、割り当てられた無線構成は省電力無線構成である。シミュレートされたＭＯＢ＿Ｐ＿ＲＥＶは、ＭＯＢ＿Ｐ＿ＲＥＶを伝送するための公知の技術に従った、コール開始メッセージ（Ｃａｌｌ  Ｏｒｉｇｉｎａｔｉｏｎ  Ｍｅｓｓａｇｅ）において伝送される。従って、携帯用通信デバイス１０４は、緊急コールに対して、デバイス１０４の実際のＭＯＢ＿Ｐ＿ＲＥＶに割り当てられた無線構成よりも低い平均電力消費を結果としてもたらす無線構成を用いる。例えば、ＩＳ−２０００に従ったＭＯＢ＿Ｐ＿ＲＥＶを有する携帯用通信デバイス１０４によって緊急コールが開始され、かつ残存バッテリ電荷レベルが低い場合には、基地局１０２は、携帯用通信デバイス１０４から受信されたシミュレートされた省電力ＭＯＢ＿Ｐ＿ＲＥＶに基づいて、ＩＳ−９５無線構成を割り当てる。割り当てられたＲＣ１またはＲＣ２無線構成は、携帯用通信デバイス１０４に割り当てられ得たＲＣ３またはＲＣ４無線構成よりも少ない平均電力消費を結果としてもたらす。
【００４１】
ステップ５０８において、携帯用通信デバイス１０４のモバイルプロトコルリビジョン（ＭＯＢ＿Ｐ＿ＲＥＶ）を識別するリビジョン値が、基地局１０２に伝送される。従って、携帯用通信デバイス１０４がＩＳ−２０００通信規格に従った作動をサポートすることが可能である場合には、伝送されたＭＯＢ＿Ｐ＿ＲＥＶは、その能力を反映する。
【００４２】
明らかに、本発明の他の実施形態および修正が、これらの教示を考慮する当業者に対して容易に想起される。上記の説明は、例示であるが、限定ではない。本発明は、本明細書および添付の図面とともに考察されるときに、すべてのそのような実施形態および修正を含む添付の特許請求の範囲によってのみ限定される。従って、本発明の範囲は、上記の説明に関して決定されるべきではなく、代わりに、均等物の完全な範囲とともに添付の特許請求の範囲に関して決定されるべきである。
【図１】
2010525756.tif 000003
【図２Ａ】
2010525756.tif 000004
【図２Ｂ】
2010525756.tif 000005
【図３】
2010525756.tif 000006
【図４】
2010525756.tif 000007
【図５】
2010525756.tif 000008
【国際調査報告】
2010525756.tif 000009
2010525756.tif 000010
2010525756.tif 000011
2010525756.tif 000012
2010525756.tif 000013